【事件の表示】
　上記当事者間の特許第４９２９４９９号発明「拡張可能なポーチを有するベルト」の特許無効審判事件について、次のとおり審決する。
【結　論】
　本件審判の請求は、成り立たない。
　審判費用は、請求人の負担とする。
【理　由】
第１　手続の経緯 
　特許第４９２９４９９号（以下「本件特許」という。）は、パリ条約に基づく最先の優先日を平成１９年２月１３日とし、平成２０年２月１３日を国際出願日として出願された特願２００９−５４９７０１号の特許出願に係り、平成２４年２月２４日に設定登録されたものである。
　その後、本件特許に対して、審判請求人　株式会社大雪屋（以下「請求人」という。）より、平成２４年８月３１日に別件無効審判（無効２０１２−８００１３８号）が請求され、請求不成立の旨の平成２５年６月１１日付け審決がなされ、確定した。
　本件無効審判は、本件特許について、平成２７年８月７日に、請求人が請求したものであって、被請求人　オーバートン　エンタープライズィズ，エルエルシー（以下「被請求人」という。）は、平成２７年１１月２４日付けで答弁書を提出している。その後の主な手続の経緯は以下のとおりである。 
平成２８年２月１９日付け　請求人が口頭審理陳述要領書を提出 
　　　同年２月１９日付け　被請求人が口頭審理陳述要領書を提出 
　　　同年３月　４日　　　口頭審理 
　　　同年３月　４日付け　請求人が上申書を提出 
　　　同年３月　８日付け　請求人が上申書を提出
　　　同年４月　１日付け　被請求人が上申書を提出 
　なお、各証拠は、「甲第１号証」を「甲１」のように略記した。
第２　本件発明
　本件特許の請求項１〜１５に係る発明（以下「本件発明１」〜「本件発明１５」という。）は、願書に添付した明細書、特許請求の範囲又は図面（以下「本件特許明細書等」という。）からみて、その特許請求の範囲の請求項１〜１５に記載された次のとおりのものと認める。
　なお、請求項１に付した数字及びアルファベットは、請求人が分説した構成要件を表す。
 「【請求項１】
１Ａ　物品を格納する着用可能なベルトであって、
１Ｂ　長手方向軸を有する第１の弾性材料と；
１Ｃ　当該ベルトの両端部が解放可能に互いにつながり得るようにさせる第１のファスナと；
１Ｄ　前記第１の弾性材料とは異なる１以上の弾性材料を有するポーチと；を有し、
１Ｅ　該ポーチは、（ｉ）内部体積を封入するよう、前記ベルトの背部において前記１以上の弾性材料を折り畳むことと、
１Ｆ　（ｉｉ）前記ポーチの前記内部体積を封入するよう、前記ポーチの前部の略中央に前記長手方向軸に平行に、第２のファスナを与えることと、
１Ｇ　（ｉｉｉ）該第２のファスナによって、前記長手方向軸に平行な方向に前記ポーチの弾性が制限されることと、
１Ａ　を特徴とする、着用可能なベルト。
【請求項２】
　前記１以上の弾性材料は、前記長手方向軸の方向に対して平行な方向におけるよりも前記長手方向軸に対して横断する方向においてより弾性である、一方向伸縮性材料である、
　請求項１記載の着用可能なベルト。
【請求項３】
　前記第１又は第２のファスナは、ジッパーファスナである、
　請求項１記載の着用可能なベルト。
【請求項４】
　前記第１又は第２のファスナは、ヴェルクロ封鎖具である、
　請求項１記載の着用可能なベルト。
【請求項５】
　当該ベルトは、前記長手方向軸に対して垂直である幅を備え、
　折り畳んだ前記ポーチの前記幅は、最小の前記幅の１．５倍より小さい、
　請求項１乃至４のうちいずれか一項記載の着用可能なベルト。
【請求項６】
　前記ポーチは、前記長手方向軸に対して横断する方向において少なくとも１００パーセント拡張可能である、
　請求項１乃至５のうちいずれか一項記載の着用可能なベルト。
【請求項７】
　前記ポーチの前記内部体積は、少なくとも２００パーセント拡張可能である、
　請求項１乃至６のうちいずれか一項記載の着用可能なベルト。
【請求項８】
　前記ポーチは、前記長手方向軸において略中心に置かれる、
　請求項１乃至７のうちいずれか一項記載の着用可能なベルト。
【請求項９】
　前記１以上の弾性材料は、逆反射材料である、
　請求項１乃至８のうちいずれか一項記載の着用可能なベルト。
【請求項１０】
　前記１以上の弾性材料は、逆反射材料を有する、
　請求項１乃至９のうちいずれか一項記載の着用可能なベルト。
【請求項１１】
　前記１以上の弾性材料は、前記長手方向軸に対して平行である方向においてよりも前記長手方向軸に対して横断する方向においてより弾性である非対称の拡張可能材料である、
　請求項１乃至１０のうちいずれか一項記載の着用可能なベルト。
【請求項１２】
　前記ポーチは、１つ又はそれより多くの長手方向プリーツを備え、
　該プリーツは、前記長手方向軸に対して実質的に平行であり、
　また前記ポーチの前記内部体積が前記長手方向軸に対して横断する方向において拡張するようにする、
　請求項１乃至１１のうちいずれか一項記載の着用可能なベルト。
【請求項１３】
　前記ポーチは、前記ベルトからつり下がらない、
　請求項１乃至１２のうちいずれか一項記載の着用可能なベルト。
【請求項１４】
　当該ベルトに対して取り付けられる１つ又はそれより多くのフックを更に有し、
　該１つ又はそれより多くのフックは、ランナーのレース番号を取り付けるのに適切である、
　請求項１乃至１３のうちいずれか一項記載の着用可能なベルト。
【請求項１５】
　物品を格納する着用可能なベルトを形成する方法であって、
　長手方向軸を有する第１の弾性材料を与える段階と；
　前記ベルトの両端部が解放可能に互いにつながり得るようにさせる第１のファスナを前記両端部に取り付ける段階と；
　前記第１の弾性材料とは異なる１以上の弾性材料を有するポーチを形成する段階と；を有し、
　該ポーチは、（ｉ）内部体積を封入するよう、前記ベルトの背部において前記１以上の弾性材料を折り畳むことと、
　（ｉｉ）前記ポーチの前記内部体積を封入するよう、前記ポーチの前部の略中央に前記長手方向軸に平行に、第２のファスナを与えることと、
　（ｉｉｉ）該第２のファスナによって、前記長手方向軸に平行な方向に前記ポーチの弾性が制限されることと、
　によって形成される、方法。」
第３　請求人の主張
１　要点
　請求人は、本件発明１〜１５についての特許を無効にする、との審決を求めている。
　その理由の要点は、以下のとおりである。
（１）無効理由１（特許法第２９条第１項第３号違反） 
　本件発明１、３〜６、８、１２、１３及び１５は、甲１に記載された発明と同一の発明であり、特許法第２９条第１項第３号の規定により特許を受けることができないものであるから、本件発明１、３〜６、８、１２、１３及び１５に係る特許は、同法第１２３条第１項第２号の規定によって無効とすべきである。
（２）無効理由２（特許法第２９条第２項違反） 
　本件発明１〜１５は、甲１及び甲２に記載された発明並びに甲３及び甲４に例示される周知技術に基づいて、当業者が容易に発明をすることができたものであるから、特許法第２９条第２項の規定により特許を受けることができず、本件発明１〜１５に係る特許は、同法第１２３条第１項第２号の規定によって無効とすべきである。
（３）無効理由３（特許法第２９条第２項違反） 
　本件発明１、３〜６、８、１２、１３及び１５は、甲１及び甲３に記載された発明に基づいて、当業者が容易に発明をすることができたものであるから、特許法第２９条第２項の規定により特許を受けることができず、本件発明１、３〜６、８、１２、１３及び１５に係る特許は、同法第１２３条第１項第２号の規定によって無効とすべきである。
（４）無効理由４（特許法第２９条第２項違反） 
　本件発明１、３〜６、８、１２、１３及び１５は、甲１及び甲４に記載された発明に基づいて、当業者が容易に発明をすることができたものであるから、特許法第２９条第２項の規定により特許を受けることができず、本件発明１、３〜６、８、１２、１３及び１５に係る特許は、同法第１２３条第１項第２号の規定によって無効とすべきである。
（５）無効理由６（特許法第３６条第６項第１号違反） 
　本件発明１〜１５は、発明の詳細な説明に記載されたものではないので、本件発明１〜１５の記載は、特許法第３６条第６項第１号の規定に適合しておらず、本件発明１〜１５に係る特許は、同法第１２３条第１項第４号の規定によって無効とすべきである。
　なお、無効理由５（特許法第１７条の２第３項違反）は、口頭審理において取り下げられた（第１回口頭審理調書「請求人」欄２）。
２　証拠方法 
　請求人が提出した証拠方法は、以下のとおりである。 
　甲１　：米国特許第５５５８４４０号公報 
　甲２　：特開２００３−２４５１１３号公報 
　甲３　：米国特許第５１５０８２４号公報 
　甲４　：米国特許第５３４１９２８号公報 
　甲５　：甲第１号証の翻訳文
　甲６　：甲第３号証の翻訳文（一部） 
　甲７　：甲第４号証の翻訳文（一部） 
　甲８　：無効２０１２−８００１３８号事件における被請求人の審判答弁書 
　甲９　：本件特許の国内書面（外国語出願の翻訳文） 
　甲１０：本件特許の平成２３年１０月１９日付け手続補正書 
　甲１１：英辞郎 on the WEBにおける「flexible」の検索結果のウェブページ(http://eow.alc.co.jp/search?q=flexibleref=wl)をプリントアウトしたもの
　甲１２：ファッションのための繊維素材辞典（１７３頁及び奥付）
　甲１３：楽天における「spibelt」のウェブページ(http://item.rakuten.co.jp/henkaq/spibelt-001)をプリントアウトしたもの
　甲１４：ファッション・アパレル用語辞典（３０８頁の一部及び奥付）
　甲１４−２：ファッション・アパレル用語辞典（３０８頁の全体頁）
　甲１５：大辞泉増補・新装版（４０９頁及び奥付）
３　主張の概要
　請求人の主張の概要は、以下のとおりである。
（１）無効理由１
　甲１の「elongate」及び「flexible」は、それぞれ「一体となって伸張され」及び「弾力性のある」と翻訳されるから、甲１のバンド２８及びポーチ１０が弾性材料で形成される点が甲１に記載されている。
　また、本件発明１及び１５の「背部」とは、「少なくともポーチの前部ではないこと」を含んでいる概念であるから、甲１の図４に示されるように、ポーチ１０の前部ではない反対側の方向にポーチ１０の縁部が折り畳まれることは、「ベルトの背部において…折り畳む」ことを開示している。
　さらに、甲１には、バンド２８に固定されたポーチ１０もバンド２８の伸張につられて伸張するところ、固いファスナ３０がポーチ１０の伸張を制限することも記載されている。
（２）無効理由２
　仮に、本件発明１及び１５の「背部」に対応する概念は、あくまで完全にベルトの後方のみであるとした場合、ポーチ１０の縁部は、バンド２８の完全な後ろに回って折り畳まれるわけではないから、甲１に記載された発明と本件発明１及び１５は、「ベルトの背部において…折り畳む」点が明記されていない限りにおいて、一応相違する。
　しかしながら、相違点があるとしても、甲２では、ストレッチ素材１及び２を、ベルト４の周りに巻き上げて包装する際に、ベルト４の背部において折り畳んでいることは明らかであるから、甲２には、かかる相違点の構成が開示されている。
　そして、ポーチ１０を前部でない部分に折り畳むか、バンド２８の完全な後ろに折り畳むか否かは、当業者が適宜選択できる設計事項にすぎず、ベルトの背部においてポーチを折り畳む技術は、甲３や甲４に記載されており周知技術であるから、かかる相違点は単なる設計事項である。また、甲１と甲２は、技術分野、課題、作用・機能が共通している。
　そうすると、かかる相違点は、甲１のポーチ１０と甲２のストレッチポーチとを組み合わせることで、容易想到である。
（３）無効理由３
　甲１に記載された発明と本件発明１及び１５は、上記（２）のとおり、「ベルトの背部において…折り畳む」点において、一応相違する。
　しかしながら、甲３の折り畳み可能な袋体１２は、弾性材料でできており、ポーチ１１に隣接して取り付けられ、ポーチ１１やベルト１４の背部で折り畳まれるから、甲３には、かかる相違点の構成が開示されている。
　そして、甲１と甲３は、技術分野、課題、作用・機能が共通していることから、かかる相違点は、甲１のポーチ１０と甲３の袋部１２とを組み合わせることで、容易想到である。
（４）無効理由４
　甲１に記載された発明と本件発明１及び１５は、上記（２）のとおり、「ベルトの背部において…折り畳む」点において、一応相違する。
　しかしながら、甲４のポーチは、柔軟な単一シート状素材で形成されているところ、かさばる物品を入れた場合には、半生地が展開することより容量が拡張されるものである。また、空の場合には、半生地がポケットの裏において、内側へ折り畳まれる。そして、柔軟な単一シート状素材は、弾性材料である。そうすると、甲４には、かかる相違点の構成が開示されている。
　そして、甲１と甲４は、技術分野、課題、作用・機能が共通していることから、かかる相違点は、甲１のポーチ１０と甲４のポーチ１とを組み合わせることで、容易想到である。
（５）無効理由６
　平成２３年１０月１９日付け手続補正書によって、本件発明１に補正がなされた（以下「本件補正」という。）ところ、本件補正により、出願当初請求項１には記載されていた限定が一部削除され、ポーチの各側部をベルトの端部に集合させ、密封するように封じ込める必要のあった発明が、そのような密封による封じ込めが無くともよい発明に上位概念化されることとなり（技術事項Ａ）、また、ポーチの上部エッジ及び下部エッジを接合するように折り畳むという限定があった発明が、単にベルトの背部で折り畳めばよい発明に上位概念化されることとなった（技術事項Ｂ）。
　当初明細書等には、技術事項Ａ及びＢに関する明示的な記載や図面はない。すなわち、技術事項Ａ及びＢを含む本件発明１は、当初明細書の発明の詳細な説明に記載された発明ではなく、詳細な説明の記載により当業者が本件発明１の課題を解決できると認識できる範囲内のものでもない。
第４　被請求人の主張
１　要点
　これに対し、被請求人は、本件審判請求は成り立たない、との審決を求めている。
２　証拠方法 
　被請求人が提出した証拠方法は、以下のとおりである。 
　乙１：ランダムハウス英和大辞典第２版（８６２頁及び奥付）
　乙２：科学技術和英大辞典（９２５頁及び奥付）
　乙３：ランダムハウス英和大辞典第２版（１０１１頁及び奥付）
　乙４：広辞苑第５版（２３６６頁及び奥付）
　乙５：Longman English Dictionary Onlineにおける「flexible」の検索結果のウェブページ(http://www.ldoceonline.com/dictionary/flexible)をプリントアウトしたもの
　乙６：ウィキペディアフリー百科事典における英辞郎の項目のウェブページ(https://ja.wikipedia.org/wiki/%E8%8B%B1%E8%BE%9E%E9%83%8E)をプリントアウトしたもの
　乙７：新英和大辞典第６版（９３２頁及び奥付）
　乙８：Webster’s Third New International Dictionary（８６９頁及び奥付）
３　主張の概要
　被請求人の主張の概要は、以下のとおりである。
（１）無効理由１
　甲１には、バンド２８が弾性材料からなること、ポーチ１０が弾性材料であって、バンド２８と異なる弾性材料からなること、ポーチ１０が内部体積を封入するようにベルトの背部において折り畳むこと、及び「ファスナによって…ポーチの弾性が制限されること」のいずれも記載されていないから、本件発明１、３〜６、８、１２、１３及び１５は、甲１に記載された発明と同一ではない。
（２）無効理由２
　甲１及び甲２に記載された発明は、課題も作用・機能も共通しておらず、組み合わせることができない。仮に両者を組み合わせることができたとしても、甲２のストレッチポーチは「背部」が折り畳まれるものではなく、本件発明１に到達しない。
　また、甲１は、バンド２８の存在により、バンド２８の背部において折り畳むことができないから、ポーチを背部で折り畳むことが周知技術であったとしても、甲１に適用することができない。
　したがって、本件発明１〜１５は、甲１及び甲２に記載された発明並びに甲３及び甲４に例示される周知技術に基づいて、当業者が容易に発明をすることができたものではない。
（３）無効理由３
　甲１及び甲３に記載された発明は、課題も作用・機能も共通しておらず、組み合わせることができない。仮に両者を組み合わせることができたとしても、甲３の袋部１２は、弾性材料からなるものではなく、ポーチ１１とは別体の収容部であってポーチ自体が折り畳まれているものではないから、本件発明１に到達しない。
　したがって、本件発明１、３〜６、８、１２、１３及び１５は、甲１及び甲３に記載された発明に基づいて、当業者が容易に発明をすることができたものではない。
（４）無効理由４
　甲４に記載された発明は、ゴルフバッグに装着するポーチであって、甲１に記載された発明と目的、用途が異なり、また課題も作用・機能も共通しておらず、両者を組み合わせることができない。仮に両者を組み合わせることができたとしても、甲４のポーチ１は、弾性材料からなるものではないから、本件発明１に到達しない。
　したがって、本件発明１、３〜６、８、１２、１３及び１５は、甲１及び甲４に記載された発明に基づいて、当業者が容易に発明をすることができたものではない。
（５）無効理由６
　請求人の主張は、本件発明が願書に最初に添付された明細書の発明の詳細な説明に記載されたものではない、というものであり、特許法第３６条第６項第１号の規定を誤って理解したものである。
　また、本件発明１〜１５は、本件特許明細書等の段落【００２０】等の記載によって裏付けられており、本件発明１〜１５は、本件特許明細書等の発明の詳細な説明に記載されたものである。
第５　当審の判断
１　各甲号証の記載内容
　請求人が提出した証拠である、甲１〜４には、以下の発明又は事項が記載されている。なお、下線は理解の便のため、当審にて付したものである。
（１）甲１
　請求人が提出した証拠である、甲１には、以下の発明又は事項が記載されている。
ア　甲１に記載された事項
　甲１には、「ARTICLE FOR RETAINING OBJECTS」（物品を保持するための製品）に関して、図面とともに、以下の事項が記載されている。
　なお、括弧内の日本語は、下記イで当審の判断を示した訳（『…』で示す）を除いて、請求人が提出した甲５による翻訳文である。
（ア）「This invention relates in general to an article useful for retaining objects, and more particularly relates to an expandable pouch that can be strapped or otherwise releasably fastened to a person's body for retaining objects.」（第１欄第３〜６行目）
（本発明は一般に、物品を保持するのに役立つ製品に関し、より詳細には物品を保持するために人体にひもで縛り付ける、あるいはそれ以外の方法で解放可能に締結することができる拡張可能なポーチに関する。）
（イ）「FIG. 2 is a perspective view of the pouch of FIG. 1 affixed to a band that is lying flat;」（第１欄第５２〜５３行目）
（
図２は、平らに置かれているバンドに貼り付けられた図１のポーチ
（ウ）「Referring now to the drawings in more detail, numeral 10 generally designates a pouch made in accordance with the present invention. Looking to FIG. 6, 
the pouch 10 is made from a piece of fabric or similarly flexible material
（次に図面をより詳細に参照すると、番号１０は全体的に、本発明によって作成されたポーチを指している。図６を見ると、
ポーチ１０は、一片の織物または同様の『たわみやすい』材料から作成されており
この織物は
折り畳まれることで
管形状を形成する
（エ）「Since the fabric is preferably somewhat 
flexible
（
織物は好ましくは幾分『たわみやすい』ため、この管形状はつぶされる
（オ）「As is best shown in FIG. 6, the pouch thus defines a first concave portion 24 and a second concave portion 26, each having an opening defined by the respective opposed edge 20 or 22 and the portion of the fabric there beneath, and a rear wall portion defined by those portions within the lateral extent of the corner portions 16. The openings of these two portions substantially abut to define a single closed cavity.」（第２欄第１５〜２１行目）
（図６に最もよく示されるように、
ポーチはこのように、第１の凹面部２４と、第２の凹面部２６とを画定し
単一の閉鎖した空洞を画定する
（カ）「As noted above, the opposing ends 20, 22 of fabric overlap at the center of the top fabric layer of the pouch to define a slit or opening for access to the cavity. Corresponding fasteners such as that sold under the tradename VELCRO, are affixed to the underside of the overlapping end 20 and the upperside of the underlying end 22 to provide a means for securing the two ends of the fabric for temporary closure of the pouch. Other fastening devices such as a slide fastener, snaps or buttons could alternatively be used to releasably secure the two ends 20, 22 together.」（第２欄第２２〜３１行目）
（上記で指摘したように、織物の対向する端部２０、２２は、ポーチの頂部の織物層の中心において重なることで空洞に侵入するためのスリットまたは開口を画定する。商標名ＶＥＬＣＲＯの下で販売されるものなどに対応する
ファスナが
一時的に閉鎖するための手段を提供する
（キ）「Looking now to FIGS. 1-4, the pouch can be placed in a compact configuration. To accomplish this, the folded lateral edges of the pouch are moved toward the center of the pouch, reversely folded in the process, and placed in a spaced overlapping position. As such, in this configuration the lateral sides of the pouch substantially corresponding to the rear wall portions of the first concave portion 24 and second concave portion 26 are inversely folded toward the center of the pouch in a convex configuration. This convex folding is aided by the removal of corner material to form the corner portions 16. The convex rear wall segment of the first portion 24 overlies the convex rear wall segment 26 of the second portion. As best shown in FIG. 4, the pouch takes on an accordion fold configuration when compacted in this manner. The compacted pouch is relatively thin and flat, thus providing a non-obtrusive article when empty.」（第２欄第３２〜４７行目）
（次に図１−４を見ると、ポーチをコンパクトな構成に配置することができる。これを達成するために、ポーチの折り畳まれた横方向の縁部がポーチの中心に向けて移動され、このプロセスにおいて逆向きに折り畳まれ、離間した重なる位置に配置される。そういうものとして、この構成において、
第１の凹面部２４および第２の凹面部２６
凹面の折り畳み
第１の部分２４
第２の部分２６
（ク）「The pouch can be detachably affixed to a band 28 adapted to retain the pouch to the user's body or to some other structure. 
Band 28 is elongated with the longitudinal ends having a fastening device 30
（ポーチは、
ポーチをユーザの身体に対してまたは何らかの他の構造に対して保持するように適合されたバンド２８
バンド２８は、ファスナ３０を有する長手方向の端部を含んで細長く
ファスナは
端部を併せて解放可能に接続する
バンドは、円形構成
人の手首、ウエストまたは足首の周りに装着
（ケ）「The pouch can be made from any 
flexible
（ポーチは、『
たわみやすい
特定の好適な材料には、軽量で速乾性の織物、例えば商標名ＮＹＬＯＮ
（コ）「1. A pouch which may be secured to the body of a user, said pouch comprising a top layer and a bottom layer of fabric which together form a closed cavity for retaining articles, said top and bottom layers each having a center section extending parallel to and between side sections, the side sections being releasably folded inward of the closed cavity into overlapping relationship with one another and between the center sections of the top and bottom layers, the center section of the top layer including an access opening into said closed cavity and the center section of the bottom layer including a means for releasably attaching said pouch to the body of the user.
2. A pouch in accordance with claim 1, wherein said pouch additionally comprises a means for releasably closing said access opening.」（請求項１〜２）
（１．
ユーザの身体に固定することができるポーチ
閉鎖された空洞を
形成する織物の頂部層と、底部層
側面部分に平行してかつ側面部分の間に延在する中心部分
側面部分が互いに重なる関係で、かつ頂部層の中心部分と底部層の中心部分の間で閉鎖された空洞の内側に
折り畳まれ
閉鎖された空洞への侵入開口
底部層の中心部分が前記ポーチをユーザの身体に解放可能に装着する手段を含む
２．前記ポーチが追加として、前記
侵入開口を解放可能に閉鎖するための手段
イ　上記アの和訳について
　当事者間で争いのある和訳について、以下、当審の判断を示す。
(ア)「Band 28 is elongated with the longitudinal ends having a fastening device 30」
　当審は、以下の理由により、記載事項（ク）の「Band 28 is elongated with the longitudinal ends having a fastening device 30」を、「バンド２８は、ファスナ３０を有する長手方向の端部を含んで細長く」と翻訳すべきと判断する。
　すなわち、「elongate」の和訳について、乙１には、動詞につき「v.t.物・事を（空間・時間的に）長くする，延長する；引き延ばす：〜a rubber bandゴムひもを伸ばす…」と、形容詞につき「adj-（またe・lon・gat・ed）１長くなった，伸びた…（中略）…２細長い，長くて薄い」との記載がある。
　この点、甲１には、バンド２８について、「ポーチをユーザの身体に解放可能に装着する手段」（記載事項（コ））であることが記載されているほか、図２より、バンド２８が細長い形状の部材であることが看取できる。一方で、甲１には、バンド２８が弾性部材からなる旨の記載を含め、バンド２８が引き延ばされることを示唆する記載はなく、図２は、バンド２８が平らに置かれた状態を図示したもの（記載事項（イ））であって、バンド２８が引き延ばされた状態であるとまで看取することはできない。
　甲１のかかる記載内容に照らせば、乙１で示された「elongate」の訳語のうち「細長い」という訳語を選択するのが妥当である。すなわち、記載事項（ク）の「elongate」は、バンド２８が「引き延ばされる」という意味ではなく、ポーチをユーザの身体に装着する手段としてのバンド２８の形状が「細長い」という意味で用いられていると解するのが妥当である。そこで、当審では、上記のとおり翻訳した。
　これに対し、請求人は、乙１に「elongate」の用例に「〜a rubber bandゴムひもを伸ばす」との記載があることをもって、「バンド２８は、ファスナ３０を有する長手方向の端部と一体となって伸長され」と翻訳すべきであるなどと主張する。
　しかしながら、乙１に「ゴムひも」の用例があるからといって、甲１のバンド２８が弾性材料であることにはならないのであり、また、甲１の記載内容から離れて、バンド２８が弾性材料であることを前提として、「elongate」の訳語として「引き延ばす」を選択することはできない。
　よって、請求人の上記主張は採用できない。
(イ)「flexible」
　当審は、以下の理由により、甲１の「flexible」を「たわみやすい」と翻訳すべきと判断する。
　すなわち、「flexible」の和訳については、形容詞に関して、乙３には「物が曲げられる；曲げやすい，しなやかな，可撓(かとう)[たわみ]性のある」との記載が、乙７には「曲げやすい，たわみやすい，しなやかな，柔軟な」との記載があるほか、甲１１には「１．[物が]曲がりやすい、曲げやすい、たわみやすい…４．弾力的な、弾力性のある…」との記載がある。
　また、名詞に関しては、乙３に「（ゴム・革など）曲げやすい物質［素材］」との記載がある。
　この点、甲１には、記載事項（ウ）中「the pouch 10 is made from a piece of fabric or similarly flexible material」において、「fabric」（織物）と同様の材料の性質として「flexible」が用いられていること、当該「fabric」（織物）につき、折り畳まれて管形状を形成し（記載事項（ウ））、管形状がつぶされること（記載事項（エ））が記載されているから、pouch 10の材料は、たわみやすい材料であれば十分であり、弾力性のある材料である必要はないことが甲１の記載から理解される。
　してみると、甲１のかかる記載内容に照らせば、乙３の名詞の訳を参考にしつつも、乙３、乙７及び甲１１で示された「flexible」の訳語のうち、「たわみやすい」という訳語を選択するのが妥当である。
　これに対し、請求人は、甲１１に「４．弾力的な、弾力性のある」と記載されていること、乙３に「（ゴム・革など）曲げやすい物質［素材］」と記載されていることなどをもって、「flexible」を「弾力性のある」と翻訳すべきであると主張する。
　しかしながら、甲１の記載内容から離れて、より相応しい訳語である「たわみやすい」ではなく、「弾力性のある」の訳語を選択することはできない。また、請求人が指摘する乙３の記載は、ゴムや革に共通する性質を有する物質として「曲げやすい物質」を示しているものにすぎず、かかる記載をもって「弾力性のある」と翻訳することもできない。
　また、請求人は、記載事項（ケ）に、ポーチの特定の好適な材料として、「ＮＹＬＯＮ」（ナイロン）が記載されており、甲１２によれば、「ナイロン」は、伸度も大きく弾力性の富んだ材料であることから、ポーチの材料を示す「flexible」は「弾力性のある」と翻訳すべきであるとも主張する。
　しかしながら、請求人の指摘する甲１の「ＮＹＬＯＮ」は、文脈から「軽量で速乾性の織物」の例として記載されていることは明らかであり、甲１２によって「ナイロン繊維」が弾力性の富んだ材料であることが示されているからといって、「軽量で速乾性の織物」が直ちに「弾力性の富んだ材料」であることにはならない。
　したがって、請求人の上記主張は採用できない。
ウ　甲１に記載された発明
　上記アの記載事項（ア）〜（コ）を、図面を参照しつつ技術常識を踏まえて、本件発明１に照らして整理すると、甲１には、以下の発明が記載されているものと認める（以下「甲１発明」という。）。
「ユーザの身体に固定することができるポーチであって、
　ポーチ１０に貼り付けられ、前記ポーチ１０をユーザの身体に解放可能に装着する細長いバンド２８と、
　当該バンド２８の長手方向の両端部を解放可能に接続するファスナ３０とを含み、
　該ポーチ１０は、閉鎖された空洞を形成する織物又はたわみやすい材料の頂部層と底部層とを備え、前記頂部層及び底部層が各々側面部分に平行してかつ側面部分の間に延在する中心部分を有し、前記側面部分たる第１の部分２４及び第２の部分２６が互いに重なる関係で、かつ頂部層の中心部分と底部層の中心部分の間で閉鎖された空洞の内側に折り畳まれ、頂部層の中心部分が前記閉鎖された空洞への侵入開口を含み、底部層の中心部分が前記バンド２８を含み、
　前記ポーチ１０が前記侵入開口を解放可能に閉鎖するファスナを備える、ポーチ。」
（２）甲２
ア　甲２に記載された事項
　甲２には、「ストレッチポーチ」に関して、図面とともに、以下の事項が記載されている。
（ア）「【発明の属する技術の分野】本発明は、ＣＤ、携帯電話、小銭等の
小物を入れる袋部をベルトに付け、そのベルトを腰部、肩部等に巻きつけ装着するウエストポーチ
（イ）「…そして、
第３の発明は、ストレッチポーチの袋部、ベルト部にストレッチ素材を採用し
（ウ）「…図３は、図１のストレッチ素材（１）、（２）をベルト（４）を中心として
巻き上げ包装
（エ）「図中では、ベルト（４）として、ナイロン織物素材、エステル織物素材等の素材から成るもので、巾が３〜５ｃｍの伸びのないベルト（４）を採用している。ＣＤ、携帯電話、小銭等の
小物は、このベルト（４）を中心にして、ストレッチ素材（１）と（２）の間の下部に入れられ、巻き上げて包装される
（オ）「補強芯材（３）は、本発明のストレッチポーチを腰部に一定張力で巻き装着バックル（５）で装着したとき、引張り張力を均一にストレッチ素材（１），（２）に伝える補強材であり、素材はベルト（４）と同様の素材から成ることが好ましい。図１，２に示すマジック型式のテープ（以下、単にテープという。）は、テープ（６），（８），（１０），（１２）で示す群とテープ（７），（９），（１１），（１３）で示す群とから成る。ＣＤ、携帯電話、小銭等の
小物をストレッチ織物素材（１）と（２）の間の下部に入れ巻き上げ包装する
（カ）「次に、図４，５に示す本発明の他の例であるストレッチポーチを参照して、本発明を説明する。図４，５中、（１），（２）はストレッチ素材、（３）は補強芯材、（４）はベルト、（５）は装着バックル、（１４）は縫い糸、
（１５）はファスナー
（キ）「補強芯材（３）、ベルト（４）、装着バックル（５）は、上述したのと同様である。また、
ファスナー（１５）
イ　甲２に記載された発明
　上記記載事項（ア）〜（キ）を、図面を参照しつつ技術常識を踏まえて整理すると、甲２には、以下の発明が記載されているものと認める（以下「甲２発明」という。）。
「小物を入れる袋部をベルト４に付け、そのベルト４を腰部に巻きつけ装着するウエストポーチであって、
　袋部とベルト４は、ストレッチ素材からなり、袋部は、小物をストレッチ素材１及びストレッチ素材２の間の下部に入れ巻き上げて包装するものであり、小物を出し入れするためのファスナー１５を設けた、
　ウエストポーチ。」
（３）甲３
ア　甲３に記載された事項
　甲３には、「DUAL PURPOSE UNITIZED PACK」（２つの目的を兼ねた統合されたパック）に関して、図面とともに、以下の事項が記載されている。
　なお、括弧内の日本語は、『…』部で示した当審による翻訳文を除き、請求人が提出した甲６による翻訳文である。なお、『…』部のうち「flexible」の訳については、下記イを参照のこと。
（ア）「This invention relates to a pack to be worn around the waist or over the shoulder of the user. More particularly, the invention relates to a dual purpose unitized pack capable of holding a limited measure of articles or a relatively substantial measure of articles.」（第１欄第４〜８行目）
（この発明は、
ユーザのウエスト回りあるいは肩の上に装着されるパック
限られた大きさで保持できるあるいは相当な大きさで保持できるという２つの目的を兼ねた統合されたパック
（イ）「There is currently being commercialized biker/hiker products referred to variously as fanny packs or fanny huggers. These products have a small pouch with a strap. The product is worn around the waist with the pouch at the user's side, front or back as desired. The pouch portion of the product is usually made of a 
flexible
（近年、“ファニーパック”や“ファニーハガー”などとして言及され宣伝されているバイカーやハイカー用の製品がある。
これらの製品は、ストラップの付いた小型のポーチを有する
ウエスト回りに装着
当該製品のポーチ部分は通常『たわみやすく』軽量で耐久性のある素材でできている。当該製品の本質は、ユーザの活動を阻害することなしに快適に装着できうることである
（ウ）「With reference to FIGS. 1 and 2 there is shown the dual purpose unitized pack 10 of the invention. The unitized pack comprises as its essential components a pouch 11, a substantially flat foldable enclosure member 12, a collapsible sack 13 and a belt 14. As shown in FIG. 1 the unitized pack is fully closed and ready for wearing on the waist or shoulder of its owner for the purpose of holding a limited measure of articles. As shown in FIG. 2, the unitized pack is fully opened with all its features fully extended ready for use as a container for a relatively substantial measure of articles.」（第２欄第４６〜５６行目）
（図１及び２を参照するに、本発明である
２つの目的を兼ねた統合パック１０
この統合パックはポーチ１１
袋部材１２
ベルト１４から構成される
（エ）「The foldable enclosure member 12 is generally rectangular-shaped and substantially flat in both its unfolded and folded states. Its length is approximately equal to the length of the pouch while its width is approximately double the width of the pouch. The enclosure member is made of a 
flexible
flexible
The balance of the enclosure member is a free portion and is folded back onto the contiguous portion
（折り畳み可能な袋部１２は、折り畳まれていない状態及び折り畳まれた状態のいずれも、通常長方形で、相当な大きさのフラットな形をしている。その長さはおおよそポーチの長さと等しいが、幅はおよそポーチの幅の２倍ある。
袋部は、ポーチに関して上記で述べたような『たわみやすい』素材でできている
ポーチと同様の『たわみやすい』素材
袋部の一部はポーチと隣接して
恒久的に取り付けられる
袋部の残りの部分は自由になっている部分であり
ポーチと隣接している袋部の部分に折り返される
（オ）図１から、ポーチ１１及び袋部１２の上縁部に、それぞれジッパー１６及びシッパー２０が設けられた点が看取できる。
（カ）図１及び図２から、袋部１２を折り返して使用する場合、ベルト１４の雌バックル２５をポーチ１１の雄バックル１８と係合することで、ポーチ１１がベルト１４とともにユーザ装着手段として機能し、袋部１２がベルト１４の長手方向と略直交する線で折り返されて（folded back）、この袋部１２が該ユーザ装着手段の内側（ユーザ側）に位置するとともに、袋部１２をフラットにして使用する場合、ベルト１４の雌バックル２５を袋部１２の雄バックル２３と係合することで、袋部１２が該ユーザ装着手段として機能し、該ユーザ装着手段の外側（反ユーザ側）に袋部１２の収納部が位置する点が看取できる。
イ　上記アの和訳について
　当事者間で争いのある「flexible」の和訳について、当審は、以下の理由により、甲３の「flexible」を「たわみやすい」と翻訳すべきと判断する。
　すなわち、「flexible」の和訳について、乙３、乙７及び甲１１には、上記（１）イ（イ）で示したとおりの記載がある。
　この点、甲３には、ポーチ１１と袋部１２の素材の性質として「flexible」の語が用いられている（記載事項（エ））ところ、袋部１２は、フラットな状態及び折り返された状態のいずれにもなること（記載事項（エ））、ポーチ１１は、ウエスト回りに装着されるもので、ユーザの活動を阻害することなしに快適に装着できうるものであること（記載事項（イ））、及び、外見と製造コストの節約のため、ポーチ１１と袋部１２は、同様の素材でできていること（記載事項（エ））が記載されているから、ポーチ１１及び袋部１２の素材は、たわみやすい材料で十分であり、弾力性のある材料である必要はないことが甲３の記載から理解される。
　してみると、甲３のかかる記載内容に照らせば、乙３、乙７及び甲１１で示された「flexible」の訳語のうち「たわみやすい」という訳語を選択するのが妥当である。
　これに対し、請求人は、甲１の「flexible」と同様の理由により、甲３の「flexible」を「弾力性のある」と翻訳すべきである旨主張する。
　しかしながら、かかる請求人の主張は、甲３の記載内容から離れて「flexible」の訳語を選択すべきとするものであって、採用できないのは、甲１の「flexible」について示したとおりである。
ウ　甲３に記載された発明
　上記記載事項（ア）〜（エ）及び認定事項（オ）〜（カ）を、図面を参照しつつ技術常識を踏まえて整理すると、甲３には、以下の発明が記載されているものと認める（以下「甲３発明」という。）。
「ユーザのウエスト回りあるいは肩の上に装着される、限られた大きさでの保持あるいは相当な大きさでの保持の２つの目的を兼ねた統合パック１０であって、
　ポーチ１１、袋部１２、及びベルト１４等から構成され、
　ポーチ１１及び袋部１２は、同様のたわみやすい材料からなり、
　袋部１２は、その一部がポーチ１１に取り付けられて、ポーチ１１に取り付けられている部分以外が自由になっており、該自由になっている部分がポーチ１１に取り付けられている部分に折り返されるように構成されており、
　袋部１２を折り返して使用する場合、ベルト１４の雌バックル２５をポーチ１１の雄バックル１８と係合することで、ポーチ１１がベルト１４とともにユーザ装着手段として機能し、袋部１２がベルト１４の長手方向と略直交する線で折り返されて、この袋部１２が該ユーザ装着手段の内側に位置するとともに、袋部１２をフラットにして使用する場合、ベルト１４の雌バックル２５を袋部１２の雄バックル２３と係合することで、袋部１２が該ユーザ装着手段として機能し、該ユーザ装着手段の外側に袋部１２の収納部が位置し、
　ポーチ１１及び袋部１２の上縁部に各々ジッパー１６及び２０を設けたパック。」
（４）甲４
ア　甲４に記載された事項
　甲４には、「ADD-ON POCKET FOR GOLF BAGS」（ゴルフバッグ用の付属的ポケット）に関して、図面とともに、以下の事項が記載されている。
　なお、括弧内の日本語は、請求人が提出した甲７による翻訳文である。
（ア)「The present invention relates to a special pouch or pocket attachable to a golf bag for storage of golf accessories, clothing or other articles.」（第１欄第５〜７行目）
（本発明は、
ゴルフアクセサリー、衣類、又はその他の物品を保管するための、ゴルフバッグに取り付け可能なポーチやポケット
（イ)「The present invention provides a compact pouch or pocket that can be quickly and easily attached to and detached from carriers, particularly carriers for sports equipment, and, more particularly, golf bags of different designs. In the preferred embodiment, the body of the pocket is formed by a single sheet of flexible fabric sufficiently stiff that it tends to retain its shape. The pocket is rectangular and has a long central zippered opening in the front for access to the interior. The back of the pocket has a folded pleat so that the internal volume can be greatly increased for holding a bulky article such as a jacket or sweater. However, when empty, the pocket lies flat against the golf bag, or, if detached from the bag, the pocket lies flat in a compact condition, but it can be folded or rolled to an even more compact condition. Preferably the pocket connects to the golf bag by hooks, one of which is carried by a length of resilient cord for tensioning the pocket when connected to the golf bag.」（第１欄第４９〜６７行目）
（本発明は、運搬装置、特にスポーツ用品、更にいうと異なるデザインのゴルフバッグに、迅速かつ容易に取り付けられ、又は取り外すことができる小型のポーチまたはポケットを提供する。好ましい実施形態では、
ポケットの本体は、その形状を保持しやすい十分な固さを備えた柔軟な布の単一シートで形成
ポケットは
内部にアクセスするために前面に長い中央ジッパー式の開口部を有している
かさばる物品を内部に保持できる容量を増加することができるように、ポケットの背面には、折り畳まれたプリーツを有する
空の場合、ポケットはゴルフバッグに対して平らになり
（ウ)「With reference to FIGS. 1, 2 and 3, the add-on pocket 1 in accordance with the present invention has an elongated body 2 which preferably is formed of a single sheet of flexible material, preferably fabric, such as a weather resistant nylon. As best seen in FIG. 3, the body of the pocket includes a rectangular front panel 3 and a rectangular back panel 4. In the empty condition of the pocket shown in FIGS. 1, 2 and 3, the back panel is disposed substantially flat against the front panel. The front and back panels are joined at their side edges by integral pleat panels folded rearward and inward from the front and back panels. The pleat panels include rear half panels 5 folded inward from the side edges of the front panel 3 and forward half panels 6 folded inward from the side edges of the back panel 4.」（第２欄第３０〜４４行目）
（図１、２及び３を参照するに、本発明に従った付属的ポケット１は、
柔軟な単一シートの素材、好ましくは耐候性ナイロンのような布で形成された
本体２
ポケットの本体には、長方形の前面生地３と長方形の背面生地４が含まれる
ポケットが空の状態では、背面生地は前面生地に対して実質的に平坦に配置
前面生地と背面生地より後方かつ内側に折り曲げられた一体的なプリーツ生地
側縁部が接合
（エ）「Each rear half panel 5 meets a longitudinal edge of the front panel 3 at a crease 7. From such crease the half panel 5 (in the empty condition of the pocket illustrated in FIGS. 1, 2 and 3) extends inward to approximately the center line of the pocket where the rear half panel 5 meets the forward half panel 6 at a crease 8. From crease 8 the forward half panel extends outward to a crease 9 where the forward half panel is joined to the back panel 4 at one of its longitudinal edges.」（第２欄第４５〜５３行目）
（背面半生地５は、それぞれ
折り目７
折り目から、半生地５は、（図１、２及び３のように、ポケットが空の状態のとき）、ポケットのほぼセンターライン方向へ、内側へ向かってのびており
（オ）「With the pocket empty, the forward and rear half panels at each side of the pocket are folded flat against the back panel leaving a narrow space between the creases 8 at approximately the center of the back panel 4. The opposite end portions of the pocket are sewn to join the end margins of the front panel 3, back panel 4 and half panels 5 and 6 together. 」（第２欄第５４〜６０行目）
（
ポケットが空のとき、ポケットの各サイドの前面及び背面の半生地は
背面生地に対して平坦に折り畳まれる
（カ）「In the empty condition illustrated in FIGS. 1, 2 and 3, the pocket rests substantially flat against the exterior of the golf bag B with the rear half panels 6 facing the bag. Access to the interior of the pocket can be accomplished conveniently by unzipping the front panel 3. There are no exposed pleats at the sides of the pocket, only the creases 7. However, the pleated construction of the rear of the pocket allows for the volume of the central portion of the pocket to be greatly expanded. A bulky article, such as a sweater or jacket, can be carried in the interior. The expanded condition of the pocket is illustrated in FIGS. 4, 5 and 6, where the back panel 4 is forced away from the front panel 3 and the half panels 5 and 6 are unfolded. However, when the article is removed, the add-on pocket in accordance with the present invention returns to the flat condition illustrated in FIGS. 1, 2 and 3; and, when removed from the golf bag, the add-on pocket can be conveniently rolled or folded to an even more compact condition.」（第３欄第２２〜４０行目）
（図１、２、及び３に示す
空の状態では、ポケットは、背面半生地６がゴルフバッグに面する状態でゴルフバッグＢの外面に対して実質的に平らに載っている
内部へのアクセスは、前面生地３のジッパーを開けることにより簡便に行う
背面のプリーツ構造は、ポケットの中央部の容量を、大幅に拡張する
ポケットの拡張状態は
背面生地４は前面生地３より遠く離れ、半生地５及び６は展開される
一方、物品が除去されたとき、本発明に従った附属的ポケットは、図１、２及び３に示される平坦な状態に戻る
イ　甲４に記載された発明
　上記記載事項（ア）〜（カ）を、図面を参照しつつ技術常識を踏まえて整理すると、甲４には、以下の発明が記載されているものと認める（以下「甲４発明」という。）。
「ゴルフアクセサリー、衣類、又はその他の物品を保管するための、ゴルフバッグに取り付け可能なポーチ又はポケットであって、
　ポーチ又はポケットの本体２は、柔軟な単一シートの素材、好ましくは耐候性ナイロンのような布の単一シートであって、その形状を保持しやすい十分な固さを備えた材料によって長方形に形成され、
　その前部中央に、内部にアクセスするための長いジッパー１０付きの開口部を有するとともに、その背面に折り畳まれたプリーツを有するものであって、
　前記プリーツは、前面生地３と背面生地４の側縁部より後方かつ内側に折り曲げられた一体的なプリーツ生地により形成され、ポーチ又はポケットが空の状態では、背面生地４が前面生地３に対して実質的に平坦に配置されるように構成されており、
　かさばる物品を内部に保持するときには、ポーチ又はポケットの容量が増大し、ポーチ又はポケットが空のときには、当該ポーチ又はポケットがゴルフバッグに対して平らになることができるようにした、
　ポーチ又はポケット。」
２　無効理由１について
（１）本件発明１
ア　対比 
　本件発明１と甲１発明とを対比する。 
（ア）要件１Ａ
　甲１発明の「ユーザの身体に固定することができるポーチ」は、その構成及び機能からみて、本件発明１の「物品を格納する着用可能なベルト」に相当する。
（イ）要件１Ｂ
　甲１発明の「ポーチ１０に貼り付けられ、前記ポーチ１０をユーザの身体に解放可能に装着する細長いバンド２８」であって、ポーチ１０の「底部層の中心部分」に含まれる「バンド２８」は、「細長い」部材であり、「長手方向の両端部」を有するものの、材料の弾性については不明であるから、本件発明１の「長手方向軸を有する第１の弾性材料」とは、「長手方向軸を有する材料」の限りで一致する。
（ウ）要件１Ｃ
　甲１発明の「当該バンド２８の長手方向の両端部を解放可能に接続するファスナ３０」は、その構成及び機能からみて、本件発明１の「当該ベルトの両端部が解放可能に互いにつながり得るようにさせる第１のファスナ」に相当する。
（エ）要件１Ｄ
　甲１発明の「ポーチ１０」は、「織物又はたわみやすい材料」から作成されているものの、材料の弾性については不明であるから、本件発明１の「前記第１の弾性材料とは異なる１以上の弾性材料を有するポーチ」とは、「材料を有するポーチ」の限りで一致する。
（オ）要件１Ｅ
　甲１発明の「閉鎖された空洞」は、その構成及び機能からみて、本件発明１の「内部体積」に相当し、以下同様に、「閉鎖された空洞を形成する…頂部層と底部層」は、「内部体積を封入する」「材料」に相当する。
　また、甲１発明の「閉鎖された空洞を形成する織物又はたわみやすい材料の頂部層と底部層」は、その構成及び機能、並びに上記（エ）の対比からみて、本件発明１の「内部体積を封入する」「前記１以上の弾性材料」と、「内部体積を封入するための材料」である限りで一致する。
　
　そうすると、「内部体積を封入するための材料」の折り畳みについて、
　甲１発明の「該ポーチ１０は…前記頂部層及び底部層が各々側面部分に平行してかつ側面部分の間に延在する中心部分を有し、前記側面部分たる第１の部分２４及び第２の部分２６が互いに重なる関係で、かつ頂部層の中心部分と底部層の中心部分の間で閉鎖された空洞の内側に折り畳まれ」は、
　本件発明１の「該ポーチは、（ｉ）内部体積を封入するよう、前記ベルトの背部において前記１以上の弾性材料を折り畳むこと」と、「該ポーチは、内部体積を封入するよう、材料を折り畳むこと」である限りで一致する。
　これに対し、請求人は、本件発明１の「背部」が「少なくともポーチの前部ではないこと」を含んでいる概念であることを前提として、甲１発明の「第１の部分２４及び第２の部分２６」の折り畳みは、「ベルトの背部において」折り畳むものである旨主張する。
　しかしながら、甲１発明の「第１の部分２４及び第２の部分２６」は、甲１発明のとおり、「頂部層及び底部層」の「側面部分」で構成されるものであって、ポーチ１０の「背部」ではなく「側部」に相当する部分である。そうすると、該第１の部分２４及び第２の部分２６は、本件発明１の「ベルト」に相当する「ユーザの身体に固定することができるポーチ」の「背部において」折り畳まれるものではない。
　また、本件発明１の「背部」の意味について、請求人が主張するように解釈することの根拠を本件特許明細書等に見出すことはできない。
　したがって、請求人の上記主張は採用できない。
（カ）要件１Ｆ
　甲１発明の「該ポーチ１０は…頂部層の中心部分が前記閉鎖された空洞への侵入開口を含み」及び「前記ポーチ１０が前記侵入開口を解放可能に閉鎖するファスナを備える」は、その構成及び機能からみて、本件発明１の「（ｉｉ）前記ポーチの前記内部体積を封入するよう、前記ポーチの前部の略中央に前記長手方向軸に平行に、第２のファスナを与えること」に相当する。
（キ）要件１Ｇ
　甲１発明の「ポーチ１０」は、上記（エ）のとおり、その材料の弾性については不明である。そうすると、甲１発明の「ファスナ」でもって、ポーチの弾性が制限されることにはならないから、甲１発明には、本件発明１の「（ｉｉｉ）該第２のファスナによって、前記長手方向軸に平行な方向に前記ポーチの弾性が制限されること」に相当するものはない。
　上記（ア）〜（キ）の対比を踏まえると、本件発明１と甲１発明とは、
「物品を格納する着用可能なベルトであって、
　長手方向軸を有する材料と；
　当該ベルトの両端部が解放可能に互いにつながり得るようにさせる第１のファスナと；
　材料を有するポーチと；を有し、
　該ポーチは、（ｉ）内部体積を封入するよう、材料を折り畳むことと、
　（ｉｉ）前記ポーチの内部体積を封入するよう、前記ポーチの前部の略中央に前記長手方向軸に平行に、第２のファスナを与えることと、
　を特徴とする、着用可能なベルト。」
　である点で一致しており、次の点で相違する。
（相違点１）
　長手方向軸を有する材料が、本件発明１は、「第１の弾性材料」であるのに対し、甲１発明は、弾性材料であるか否かが明らかでない点。
（相違点２）
　ポーチが、本件発明１は、「第１の弾性材料とは異なる１以上の弾性材料を有する」のに対し、甲１発明は、織物又はたわみやすい材料ではあるものの、弾性材料であるか否かが明らかでない点。
（相違点３）
　ポーチの内部体積を封入するための材料の折り畳みは、本件発明１は、「ベルトの背部において」なされているのに対し、甲１発明は、ポーチ１０の側部である「第１の部分２４及び第２の部分２６」が互いに重なる関係で、かつ頂部層の中心部分と底部層の中心部分の間で閉鎖された空洞の内側に折り畳まれている点。
（相違点４）
　ポーチの前部の略中央に長手方向軸に平行に設けられた第２のファスナが、本件発明１は、「長手方向軸に平行な方向にポーチの弾性が制限される」のに対し、甲１発明は、長手方向軸に平行な方向にポーチ１０の弾性を制限するかどうか明らかでない点。
イ　小括
　上記アのとおり、本件発明１と甲１発明とは、相違点１〜４において相違するから、本件発明１は、甲１発明と同一の発明であるとはいえない。
（２）本件発明３〜６、８、１２、１３及び１５
　本件発明３〜６、８、１２及び１３は、本件発明１を引用するものであり、本件発明１５は、本件発明１の発明特定事項を含む製造方法に係る発明であるから、上記（１）で示した理由と同様の理由により、本件発明３〜６、８、１２、１３及び１５は、甲１発明と同一の発明であるとはいえない。
（３）まとめ
　以上によれば、本件発明１、３〜６、８、１２、１３及び１５は、甲１発明と同一の発明であるとはいえず、無効理由１によっては、本件発明１、３〜６、８、１２、１３及び１５に係る特許を無効にすることはできない。
３　無効理由２について
（１）本件発明１
ア　対比
　本件発明１と甲１発明との一致点と相違点は、上記２（１）アで示したとおりである。
イ　相違点２及び４についての判断
　事案にかんがみ、まず、本件発明１の「ポーチの弾性」に係る相違点である、相違点２及び４を検討する。
（ア）甲２発明の袋部等の材料について
　甲２発明は、袋部とベルト４にストレッチ素材を採用したウエストポーチであるから、一応、甲２の袋部を「弾性材料」とする点は、開示されているといえる。
　しかしながら、甲２には、ベルト４のストレッチ素材と袋部のストレッチ素材が異なるとの記載も示唆もない。そうすると、甲２には、相違点２の構成が開示されているとはいえない。
　また、甲２発明のファスナー１５は、小物を出し入れするためのものであるものの、その材料については、甲２には記載も示唆もない。したがって、仮に、ファスナー１５が袋部のストレッチ素材１及び２に設けられているとしても、該ストレッチ素材の弾性を制限するものであるか否かは明らかではない。
　仮に、ファスナー１５が金属製であって、それ自体、弾性を有していないとしても、該ファスナー１５が袋部の前部の略中央に設けられたものであるか否かも、長手方向軸に平行な方向に袋部の弾性を制限するものであるか否かも明らかではない。
　そうすると、相違点４の構成についても、甲２に開示されているとはいえない。
（イ）相違点２及び４の容易想到性について
　上記（ア）のとおり、甲２には、相違点２及び４の構成が開示されていないから、仮に、甲２発明を甲１発明に適用したとしても、相違点２及び４の構成には到達しない。
　また、相違点２及び４の構成について、設計事項であることを示す証拠もない。
　そうすると、相違点２及び４を容易想到とすることはできない。
ウ　相違点３についての判断
　次に、相違点３について検討する。
（ア）甲１発明の折り畳み構造について
　甲１発明は、ポーチをコンパクトな構成とするために、ポーチ１０の頂部層及び底部層の側面部分で構成される第１の部分２４及び第２の部分２６について、互いに重なる関係で、かつ頂部層と底部層の間で閉鎖された空洞の内側に折り畳むものである。
　このような折り畳み構造としたのは、ポーチを人のウエストのみならず、手首や足首の周りに装着することを想定して、円形構成のバンドを前提としているために（記載事項（ク））、甲１発明では、ポーチ１０をユーザの身体に装着するバンド２８が底部層の中心部分に「含まれる」、すなわち「貼り付けられる」こととなり、バンド２８を回避してポーチ１０の折り畳み構造を構成する必要があるためである。つまり、甲１発明の折り畳み構造は、ポーチ１０の底部層たる背部にバンド２８が貼り付けられることを前提とした構造である。
　そうすると、甲１に接した当業者は、ポーチ１０の背部である底部層に折り畳み構造を設けようとはしないし、底部層にバンド２８が貼り付けられる構造と底部層に設けられた折り畳み構造は、両立するものではないといえる。
　したがって、甲１には、甲１発明を相違点３の構成とするような動機付けはなく、むしろ、甲１発明をかかる構成とすることに阻害要因がある。
（イ）甲２発明の袋部について
　甲２発明の袋部は、ストレッチ素材１及び２の間の下部に小物を入れて巻き上げて包装するものであり、折り畳み構造を有するものではないから、本件発明１のポーチとは構成を全く異にするものである。
　また、「巻き上げ包装」と「折り畳み」の構成の相違を除いても、甲２に、相違点３の構成が開示されているとはいえない。
　すなわち、相違点３は、上記２（１）アのとおり、「ポーチの内部体積を封入するための材料の折り畳み」に関するものであるところ、甲２発明において、本件発明１の「内部体積」に相当するものは、ストレッチ素材１及び２の間の「下部」である。ストレッチ素材１及び２のうち、「下部」以外の部分が巻き上げ包装されることになるが、該巻き上げ包装される部分は、小物の収納空間を形成しておらず、「内部体積を封入するための材料」であるとはいえない。したがって、甲２の袋部は、「内部体積を封入するための材料」が折り畳まれることにはならない。
（ウ）甲３と甲４について
　まず、相違点３に関して、甲３から認定できる技術事項は、下記４（１）ウ（ア）のとおり、ベルト１４とのつなぎ換えを行う構成と、該つなぎ換えによりユーザ装着手段に対する収納部の位置関係を変更する構成を備えることで、収納部の一部である袋部１２をユーザ装着手段の内側に折り返すようにし、パック全体の長手方向の長さの調節と収納容量の調節を行う、パックの収納部である（以下「甲３事項」という。）。
　また、相違点３に関して、甲４から認定できる技術事項は、下記５（１）ウ（ア）のとおり、ゴルフバッグに取り付け可能なポーチ又ポケットであって、その本体の背面に折り畳まれたプリーツ構造を備えることで、ポーチ又ポケットをコンパクトな構成とするものである（以下「甲４事項」という。）。
　このように、甲３事項及び甲４事項は、収納部の一部を折ることによって、収納容量を変更するポーチという点では共通する。しかしながら、甲３事項は、袋部１２を「折り返す（folded back）」ものではあっても、袋部１２にプリーツ構造を設けるもの、すなわち、袋部１２を「折り畳む」ものとまではいえない。そうすると、甲３及び甲４から、「収納部の一部を折ることによって、収納容量を変更するポーチ」が周知技術であるとはいえるが、請求人が主張するように、「ベルトの背部においてポーチを折り畳む技術」なる周知技術を認定することはできない。
（エ）相違点３の容易想到性について
　上記（ア）のとおり、甲１には、甲１発明を相違点３の構成とする動機はなく、むしろ阻害要因がある。そうすると、甲１発明に、甲２発明、甲３事項及び甲４事項を組み合わせることはできない。また、甲３事項を甲１発明に組み合わせることができないのは、下記４（１）ウ（イ）にも示しているとおりである。
　また、上記（イ）のとおり、甲２発明の袋部は、本件発明１のポーチとは構成を全く異にするものであり、また、上記（ウ）のとおり、甲３及び甲４から認定できるのは、それぞれ甲３事項及び甲４事項である。そうすると、少なくとも、甲１発明に甲２発明及び甲３事項を組み合わせることで、相違点３の構成に到達することはない。
　さらに、請求人が主張する「ベルトの背部においてポーチを折り畳む技術」なる周知技術を認定することはできず、甲１発明に、甲２発明並びに甲３及び甲４に例示される「収納部の一部を折ることによって、収納容量を変更するポーチ」という周知技術を組み合わせても、本件発明１には至らない。
　また、相違点３の構成について、設計事項であることを示す証拠もない。
　そうすると、相違点３を容易想到とすることはできない。
エ　小括
　したがって、相違点１について検討するまでもなく、本件発明１は、甲１発明及び甲２発明並びに甲３及び甲４に例示される周知技術に基づいて、当業者が容易に発明をすることができたものではない。
（２）本件発明２〜１５
　本件発明２〜１４は、本件発明１を引用するものであり、本件発明１５は、本件発明１の発明特定事項を含む製造方法に係る発明であるから、上記（１）で示した理由と同様の理由により、本件発明２〜１５は、甲１発明及び甲２発明並びに甲３及び甲４に例示される周知技術に基づいて、当業者が容易に発明をすることができたものではない。
（３）まとめ
　よって、無効理由２によっては、本件発明１〜１５に係る特許を無効にすることはできない。
４　無効理由３について
（１）本件発明１
ア　対比
　本件発明１と甲１発明との一致点と相違点は、上記２（１）アで示したとおりである。
イ　相違点２及び４についての判断
　無効理由２と同様に、まず、本件発明１の「ポーチの弾性」に係る相違点である、相違点２及び４を検討する。
（ア）甲３発明のポーチ１１等の材料について
　甲３発明のポーチ１１及び袋部１２の材料は、たわみやすい材料からなるものであるところ、その弾性については、甲３には記載も示唆もないから、不明である。そうすると、甲３には、相違点２の構成が開示されているとはいえない。
　また、甲３発明のジッパー１６及び２０は、図１及び２で示された形態や技術常識に照らして、金属製であって、それ自体、弾性を有していないとしても、ポーチ１１及び袋部１２が弾性材料からなるのか否か不明であるから、ポーチ１１及び袋部１２の弾性を制限するものであるか否かは明らかではない。さらに、甲３発明のジッパー１６及び２０は、ポーチ１１及び袋部１２の上縁部に設けられたものであって、ポーチ１１及び袋部１２の前部の略中央に設けられたものでもない。
　そうすると、相違点４の構成についても、甲３に開示されているとはいえない。
（イ）相違点２及び４の容易想到性について
　上記（ア）のとおり、甲３には、相違点２及び４の構成が開示されていないから、仮に、甲３発明を甲１発明に適用したとしても、相違点２及び４の構成には到達しない。
　また、相違点２及び４の構成について、設計事項であることを示す証拠もない。
　そうすると、相違点２及び４を容易想到とすることはできない。
ウ　相違点３についての判断
　次に、相違点３について検討する。
（ア）甲３発明の収納部について
　甲３発明は、その収納部として、ポーチ１１及び袋部１２を有するものである。甲３発明の収納部は、「ユーザのウエスト回りあるいは肩の上に装着される、限られた大きさでの保持あるいは相当な大きさでの保持の２つの目的を兼ね」るという課題を解決するために、特徴的な構成及び機能を有している。
　すなわち、甲３発明においては、まず、袋部１２を折り返して使用する場合、ベルト１４の雌バックル２５をポーチ１１の雄バックル１８と係合することで、ポーチ１１がベルト１４とともにユーザ装着手段として機能し、袋部１２がベルト１４の長手方向と略直交する線で折り返されて、この袋部１２が該ユーザ装着手段の内側に位置することになる。この場合、パック全体の長手方向の長さは、大凡、ベルト１４とポーチ１１の長手方向の長さを足した限られたものとなり、また、パック全体の収納容量は、ポーチ１１の収納部の分だけで限られたものとなる。このようにして、「ウエスト回りの装着」と「限られた大きさでの保持」を実現する。
　これに対して、袋部１２をフラットにして使用する場合、ベルト１４の雌バックル２５を袋部１２の雄バックル２３と係合することで、袋部１２が該ユーザ装着手段として機能し、袋部１２のうちポーチ１１に取り付けられていない該自由になっている部分の長さだけ、パック全体の長手方向の長さが長くなる。また、該ユーザ装着手段の外側に袋部１２の収納部が位置することで、袋部１２の収納部の分だけ、パック全体の収納容量が増大する。このようにして、「肩の上の装着」と「相当な大きさでの保持」を実現する。
　言い換えれば、甲３発明の収納部は、ベルト１４とのつなぎ換えを行う構成と、該つなぎ換えによりユーザ装着手段に対する収納部の位置関係を変更する構成を備えることで、収納部の一部である袋部１２をユーザ装着手段の内側に折り返すようにし、パック全体の長手方向の長さの調節と収納容量の調節を行うものである。
　このように、甲３発明の収納部は、本件発明１のポーチとは構成も機能も全く異なるものである。
（イ）相違点３の容易想到性について
　上記３（１）ウ（ア）のとおり、甲１発明は、ポーチ１０の底部層たる背部にバンド２８が貼り付けられることを前提とした折り畳み構造を有するものである。このように、甲１発明には、ポーチ１０とバンド２８とのつなぎ換えを行う構成はなく、バンド２８のつなぎ換えにより、バンド２８に対するポーチ１０の位置関係を変更する構成もない。そうすると、甲１発明に甲３発明の収納部を組み合わせることはできない。
　仮に、組み合わせることができたとしても、上記（ア）のとおり、甲３発明の収納部は、本件発明１のポーチとは相違点３に係る構成が全く異なるものであるから、相違点３の構成に到達しないのは明らかである。
　また、相違点３の構成について、設計事項であることを示す証拠もない。
　そうすると、相違点３を容易想到とすることはできない。
　請求人は、甲３には、袋部１２を「ベルトの背部において」折り畳む点が開示されているから、甲１のポーチ１０に適用して相違点３の構成とすることは容易である旨主張している。
　しかしながら、甲３の袋部１２を甲１のポーチ１０に適用して到達する構成は、甲１のポーチ１０と甲３の袋部１２の各々に、甲１のバンド２８を解放可能に係合する手段を設けるとともに、ポーチ１０の底面層に袋部１２を折り返されるように取り付けるものであって、バンド２８のつなぎ換えを行うことで、ポーチ１０の底面層において、袋部１２を折り返す使用態様と袋部１２をフラットにする使用態様との両方を実現する構成である。
　そして、かかる構成が相違点３の構成と同じものではないのは、明らかである。したがって、請求人の上記主張は採用できない。
エ　小括
　したがって、相違点１について検討するまでもなく、本件発明１は、甲１発明及び甲３発明に基づいて、当業者が容易に発明をすることができたものではない。
（２）本件発明３〜６、８、１２、１３及び１５
　本件発明３〜６、８、１２、１３は、本件発明１を引用するものであり、本件発明１５は、本件発明１の発明特定事項を含む製造方法に係る発明であるから、上記（１）で示した理由と同様の理由により、本件発明３〜６、８、１２、１３及び１５は、甲１発明及び甲３発明に基づいて、当業者が容易に発明をすることができたものではない。
（３）まとめ
　よって、無効理由３によっては、本件発明１、３〜６、８、１２、１３及び１５に係る特許を無効にすることはできない。
５　無効理由４について
（１）本件発明１
ア　対比
　本件発明１と甲１発明との一致点と相違点は、上記２（１）アで示したとおりである。
イ　相違点２及び４についての判断
　無効理由２及び３と同様に、まず、本件発明１の「ポーチの弾性」に係る相違点である、相違点２及び４を検討する。
（ア）甲４発明のポーチ又はポケットの材料について
　甲４発明のポーチ又はポケットの材料は、「柔軟な単一シートの素材、好ましくは耐候性ナイロンのような布」であるところ、甲４には、かかる材料が弾性材料である旨の明示的な記載はない。
　この点、ポーチ又はポケットの拡張について、甲４には「背面のプリーツ構造は、ポケットの中央部の容量を、大幅に拡張する。…ポケットの拡張状態は…背面生地４は前面生地３より遠く離れ、半生地５及び６は展開される」（記載事項（カ））と記載されているとおり、ポーチ又はポケットの拡張は、その材料の伸びによるのではなく、プリーツ構造の展開によるものであることが理解できる。
　また、拡張したポーチ又はポケットが平らな形状へ復帰することについては、甲４に、「ポケットの本体は、その形状を保持しやすい十分な固さを備えた柔軟な布の単一シートで形成される」（記載事項（イ））、「折り目から、半生地５は…ポケットが空の状態のとき…ポケットのほぼセンターライン方向へ、内側へ向かってのびており」（記載事項（エ））及び「一方、物品が除去されたとき、本発明に従った附属的ポケットは、図１、２及び３に示される平坦な状態に戻る」（記載事項（カ））と記載されていることからみて、平らな形状への復帰は、伸びたポーチ材料の収縮によるものではなく、折り目を備えたプリーツ構造によって、空のときに平らになるように形状が保持されたポーチ又はポケットについて、その形状保持の性質によるものであることが理解できる。
　さらに、甲４発明は、ゴルフバッグに取り付け可能なポーチであり、ユーザの身体に着用可能なベルトである本件発明１のように、ポーチに格納された物品をポーチの伸縮性を利用して、しっかりと保持する課題はない。つまり、甲４発明のようなゴルフバッグのポーチは、ユーザの身体に着用するウエストポーチとは求められる機能が異なるのであり、ポーチ内部に保管されたゴルフアクセサリー等の物品をしっかりと保持するような課題を内在したものであるとはいえない。
　そうすると、甲４は、ポーチを弾性材料で形成することを示唆するものではない。
　これに対し、請求人は、甲４の「柔軟な単一シートの素材」は弾性材料である、「ナイロン」が弾性材料である以上（甲１２）、「ナイロンのような布」で形成された甲４のポーチは、弾性材料で形成されているなどと主張する。
　しかしながら、甲４の「柔軟な単一シートの素材」が直ちに弾性材料であることにはならず、また、甲１２によって「ナイロン繊維」が弾力性の富んだ材料であることが示されているからといって、織物である布の「ナイロン」が直ちに弾性材料であることにもならない。
　むしろ、上記のとおり、甲４発明がポーチ内部に保管された物品をしっかりと保持するような課題を内在したものではないことに加えて、甲４の「柔軟な単一シートの素材」が「形状を保持しやすい十分な固さを備えた」材料であることに照らすと、甲４の「柔軟な単一シートの素材」や「ナイロン」が、課題とも関連せず、また「形状保持」の性質とも整合しない、弾性材料であると解することはできない。
　したがって、請求人の上記主張は採用できない。
（イ）相違点２及び４の容易想到性について
　上記（ア）のとおり、甲４には、ポーチを弾性材料で形成することの明示的な記載も示唆もないから、甲４は、相違点２の構成を開示するものでないことは明らかである。
　また、甲４発明のポーチ又はポケットの本体２が、その前部中央に内部にアクセスするための長いジッパー１０付きの開口部を有することから、かかる構造が「第２のファスナ」を備えたポーチと類似するとしても、甲４には、ポーチを弾性材料で形成することの開示はないのであるから、甲４のジッパー１０により、長手方向に平行な方向にポーチ１の弾性が制限されることにはならない。したがって、甲４は、相違点４の構成も開示しない。
　このように、甲４には、相違点２及び４の構成は開示されていないのであるから、仮に甲１発明に甲４発明を組み合わせたとしても、相違点２及び４に到達することはできない。
　また、相違点２及び４の構成について、設計事項であることを示す証拠もない。
　そうすると、相違点２及び４を容易想到とすることはできない。
ウ　相違点３についての判断
　次に、相違点３を検討する。
（ア）甲４発明の折り畳み構造について
　甲４発明は、上記１（４）イで示したとおり、下記ａ〜ｃの点を備えるものである。
ａ　ポーチ又はポケットの本体２は、その背面に折り畳まれたプリーツを有するものであって、
ｂ　プリーツは、前面生地３と背面生地４の側縁部より後方かつ内側に折り曲げられた一体的なプリーツ生地により形成され、ポーチ又はポケットが空の状態では、背面生地４が前面生地３に対して実質的に平坦に配置されるように構成されており、
ｃ　かさばる物品を内部に保持するときには、ポーチ又はポケットの容量が増大し、ポーチ又はポケットが空のときには、当該ポーチ又はポケットがゴルフバッグに対して平らになることができる
　そうすると、甲４発明は、一応、相違点３の本件発明１に係る構成と類似する構造を含むものといえる。
（イ）相違点３の容易想到性について
　甲１には、甲１発明を相違点３の構成とする動機はなく、むしろ阻害要因があることは、上記３（１）ウ（ア）で示したとおりであるから、甲４発明が相違点３の構成と類似する構造を含むとしても、甲１及び甲４に接した当業者は、甲１発明のポーチ１０の背部たる底部層に、甲４発明の「背面に折り畳まれたプリーツ」構造を設けようとはしないし、当該構造を設けることと甲１発明の底部層にバンド２８が貼り付けられる構造とは両立ができないから、甲４発明を甲１発明に適用することは阻害されているといえる。
　したがって、甲４発明を甲１発明に適用することは、容易であるとはいえない。
　また、相違点３の構成について、設計事項であることを示す証拠もない。
　そうすると、相違点３を容易想到とすることはできない。
エ　小括
　したがって、相違点１について検討するまでもなく、本件発明１は、甲１発明及び甲４発明に基づいて、当業者が容易に発明をすることができたものではない。
（２）本件発明３〜６、８、１２、１３及び１５
　本件発明３〜６、８、１２、１３は、本件発明１を引用するものであり、本件発明１５は、本件発明１の発明特定事項を含む製造方法に係る発明であるから、上記（１）で示した理由と同様の理由により、本件発明３〜６、８、１２、１３及び１５は、甲１発明及び甲４発明に基づいて、当業者が容易に発明をすることができたものではない。
（３）まとめ
　よって、無効理由４によっては、本件発明１、３〜６、８、１２、１３及び１５に係る特許を無効にすることはできない。
６　無効理由６について
（１）前提
　特許請求の範囲の記載が、特許法第３６条第６項第１号で規定するサポート要件に適合するか否かは、特許請求の範囲の記載と発明の詳細な説明の記載とを対比し、特許請求の範囲に記載された発明が、発明の詳細な説明に記載された発明で、発明の詳細な説明の記載により当業者が当該発明の課題を解決できると認識できる範囲のものであるか否か、また、その記載や示唆がなくとも当業者が出願時の技術常識に照らし当該発明の課題を解決できると認識できる範囲のものであるか否かを検討して判断すべきものである（知的財産高等裁判所特別部判決平成１７年（行ケ）第１００４２号）。 
（２）本件特許明細書等の発明の詳細な説明
　本件特許明細書等の発明の詳細な説明には、以下の記載がある。なお、下線は理解の便のため、当審にて付したものである。
ア　「【
発明が解決しようとする課題
【００１２】
　本発明の実施例は、格納される物品のいずれか及び全てにアクセスするよう望ましくは
単一の開口を有する拡張可能なポケットデザインを備えるベルト
物品に対するアクセスに関する問題を解決
イ　「【
課題を解決するための手段
【００１３】
　前述において、
以下の本発明の詳細の説明がよりよく理解され得るよう、本発明の実施例の特性及び技術的利点を広く概説している
ウ　「【００１８】
　本発明の望ましい実施例において、
ポーチは、可撓性／弾性ベルトによって適所に保持され
ユーザのウエストの周囲であるユーザの周囲にぴったりと適合する
エ　「【００１９】
　…十分な寸法を有する物体がポーチに配置されるとき、
ポーチのファブリックは、物品を保持するよう伸張する。伸張されるポーチによってポーチ内部における物品に与えられる横断方向張力は、物品をポーチにおいてぴったりと保持する役割を有し
オ　「【００２０】
　本発明の実施例は、先行技術によるウエストポーチの問題の多くを解決する。
多くの先行技術のウエストポーチは、ポーチ内における体積が大きすぎる
ポーチは着用するにはかさばり、着用者による激しい身体的活動中に跳ねたり動いたりする
大きなポーチはまた、１つ又は２つのみの比較的小さな物品を保持／格納するには邪魔である
小さなポーチを有するウエストポーチは
ポーチはまた、身体的活動中に跳ね回る
典型的には弾性又は拡張可能ではない
カ　「【００２１】
　しかしながら、
本発明の設計は、ベルトに一体にされると同時に拡張可能であるポーチを与え、更に着用者の身体の周囲におけるぴったりとした適合を与える
ポーチは、横断方向には伸張し得るが、ベルトの長手方向軸に沿って伸張し得ない。これによってポーチは、使用中に着用者の身体に対してぴったりと留まり得、しっかりと小さな物体を保持し得、また、より大きな物体を保持するよう拡張し得る
キ　「【００２３】
　本発明の望ましい一実施例は、図１（前面／立面図）及び図２（背面／立面図）において示される。本発明の望ましい実施例は、
単一片のシームレスのポーチ材料１１を有して作られる単一ポーチ１０
ポーチが空のときには重なる形状においてファブリックを折り畳む
物品がポーチにいれられるとき、ポーチ内部は、物品を保持するよう拡張し
ク　「【００２４】
　
ポーチ材料１１は望ましくは、弾性／拡張可能ファブリック又はポリエステル等である他の材料を有し
ケ　「【００２６】
　
ポーチ自体は、１つのシームレス片材料から容易に構成され
ファブリック片は、内部体積を封入するよう折り重ねられる
コ　「【００３５】
　
ポーチの弾性はまた、ジッパー又は同様のファスナ等である伸縮不可能なシーム又はサポートをポーチの前部へと組み込むことによって、長手方向に制限され得る
ジッパーテープ１７が長手方向において実質的に弾性ではないため、ベルト２０の適合は、ぴったりしたものとなり
サ　「【００３７】
　本発明の望ましい一実施例において、
ポーチ１０を形成する材料１１はまた、ポーチのより大きな拡張性能を可能にするようプリーツを付けられ得る
シ　「【００３８】
　…更には、
比較的小型なポーチの寸法及び物品をしっかりと保持する引張力（弾性材料によって加えられる）
ス　「【００３９】
　
ポーチは、典型的にはユーザのウエストの周囲であるユーザの周囲にぴったりと適合する可撓性／弾性ベルト又はメインウエストストラップによって適所に保持される
ベルトは
長手方向に弾性的な材料を有して作られ
メインウエストストラップは、望ましくは
通気性のあるナイロンストレッチ材料等の伸縮性のある／柔らかい材料から作られる
セ　「【００４０】
　図１及び２中の実施例において、
雄バックル２２及び雌バックル２３
着用者の身体の周囲においてベルト２０の右側部分及び左側部分をともに保持
ソ　「【００４２】
　図１及び２中の実施例において、
ベルト２０は、２つの長さの弾性材料を有し
タ　「【００４４】
　弾性ベルト２０は、適切な手段を使用してポーチ１０に対して取り付けられ得る。…上述された通り、ベルト２０の端部に対して
比較的非弾性的ジッパー１６
ポーチの長手方向弾性を制限する
チ　「【００４５】
　図４は、本発明の望ましい一実施例に従った空である
プリーツ付きのポーチ１０の背部
プリーツ１２は、ポーチ材料１１において形成され、ポーチ１０がより大きな拡張性を有し得る
ツ　「【００４７】
　望ましくは、図１に示される通り、ポーチ１０の前部は、プリーツ１２を有さず、平らなママである。図２に示される通り、
プリーツ１２を作るようポーチ１０の背部が層状にされ、重ねられ
（３）検討
　本件特許明細書等の発明の詳細な説明には、上記（２）のとおり、本件発明１の構成がその実施例として記載されている。
　なお、本件発明１の構成のうち「第１の弾性材料」は、発明の詳細な説明においては「可撓性／弾性ベルト」、「ベルト２０」等と表現されており、以下同様に、「第１のファスナ」は「雄バックル２２及び雌バックル２３」等と、「１以上の弾性材料」は「ファブリック」、「弾性／拡張可能ファブリック」等と、「第２のファスナ」は「ジッパー」等と、それぞれ表現されている。
　そして、当業者においては、本件発明１の構成を採用することにより、ポーチに格納された物品に対するアクセスの問題を解決すること、使用中又は激しい身体的活動中にも着用者の身体に対してぴったりとした適合を与えること、及び、小さな物体をしっかりと保持し、より大きな物体を保持するよう拡張でき、しかも邪魔にならないこと、等の本件発明１の課題を解決できると認識できるものと認められる。
　これに対し、無効理由６に関する請求人の主張を善解すれば、本件発明１は「ポーチの各側部を密封するように封じ込める構成」（技術事項Ａ）及び「ポーチの上部エッジ及び下部エッジを接合するように折り畳む構成」（技術事項Ｂ）を含まないから、本件特許明細書等の発明の詳細な説明に記載したものではない、という主張であると一応理解できる。
　しかしながら、技術事項Ａに関する「ポーチの各側部を密封するように封じ込める構成」と、技術事項Ｂに関する「ポーチの上部エッジ及び下部エッジを接合するように折り畳む構成」は、本件特許明細書等の記載に照らせば、共に、本件発明１の実施例の構成であると認められるところ、本件発明１が実施例の構成の一部を備えていないからといって、上記した本件発明１の課題を解決できないことにはならないから、請求人の上記主張は採用できない。
　よって、本件発明１についての特許請求の範囲の記載は、サポート要件に適合する。また、本件発明２〜１５についての特許請求の範囲の記載も、本件発明１と同様に、サポート要件に適合する。
（４）まとめ
　以上のとおり、無効理由６によっては、本件発明１〜１５係る特許を無効にすることはできない。
第６　むすび  
　以上のとおりであるから、請求人主張の理由及び証拠方法によっては、本件発明１〜１５に係る特許を無効にすることはできない。 
　審判に関する費用については、特許法第１６９条第２項で準用する民事訴訟法第６１条の規定により、請求人が負担すべきものとする。 
　よって、結論のとおり審決する。